(57)【要約】【課題】イセエビを小さいときから大きくなるまで育てて生存率を高めることができるイセエビ用の育成礁を提供する。【解決手段】本発明のイセエビ用の育成礁１は、表面にポストラーバや稚エビ用の大きさの異なる凹部が複数形成されている稚エビ礁部３と、この稚エビ礁部３の周囲に配設されて、複数の管１３、１４が配置された成エビ礁部４とを備えた。この構成により、稚エビ礁部３で育成された稚エビが、成エビになった際には成エビ礁部４にて育成され、同じイセエビ用の育成礁１で、イセエビを小さいときから大きくなるまで育てられて生存率を高めることができる。【選択図】図１
2014000002.tif 000002
【特許請求の範囲】
【請求項１】
表面にポストラーバや稚エビ用の大きさの異なる凹部が複数形成されている稚エビ礁部と、この稚エビ礁部の周囲に配設されて、複数の管が配置された成エビ礁部とを備えたことを特徴とするイセエビ用の育成礁。
【請求項２】
管として、鋳鉄管が用いられていることを特徴とする請求項１記載のイセエビ用の育成礁。
【請求項３】
成エビ礁部は、略水平に配設された床盤上に、管を平行な姿勢または傾斜させた姿勢で、かつ互いの管を互いに横方向に近接または当接させた状態で並べて配設していることを特徴とする請求項１または２に記載のイセエビ用の育成礁。
【請求項４】
成エビ礁部は、口径の異なる複数の管から構成されていることを特徴とする請求項１〜３の何れか１項に記載のイセエビ用の育成礁。
【請求項５】
稚エビ礁部は、大径の短管にコンクリートなどの硬質材料を配設して形成されていることを特徴とする請求項１〜４の何れか１項に記載のイセエビ用の育成礁。
【請求項６】
稚エビ礁部は、略水平に配設された支持台に、短管の下部が、前記支持台のコンクリートなどの硬質材料で埋め込まれて、短管の中央部及び上部が支持台から立設する状態で配設されていることを特徴とする請求項５に記載のイセエビ用の育成礁。
【発明の詳細な説明】
【技術分野】
【０００１】
本発明は、イセエビを育成するに適した育成礁に関する。
【背景技術】
【０００２】
従来のイセエビ用の育成礁としては、天然石を投入して積み重ね、天然石同士の隙間で成育させようと図ったものが知られている。また、特許文献１、２等には、円盤状の板を、上下に隙間を有する状態で積み重ねたり、スリットを有するブロックを上下に重ねたりするものが開示されている。
【０００３】
しかし、何れの従来のイセエビ用の育成礁においても、イセエビの幼生期の生態などが殆ど分からなかった状態で試行したり提供されたりしていたため、実際には、成エビ（親エビ）を育成対象とするものであった。
【０００４】
ここで、イセエビは、卵から孵化した後、フィロソーマ、ポストラーバ（プエルルスとも称される）、稚エビ、成エビの順で成長することがわかってきている。すなわち、イセエビは、卵より孵化した後、まず、薄くて透明で木の葉状のフィロソーマという幼生の形態で動物性のプランクトンとして略１年ほど外洋を回遊しながら育ち、３０ｍｍほどの大きさになった時点で、ガラスエビとも呼ばれる透明なポストラーバに変態する。そして、ポストラーバの状態では、食することなく沿岸部に向って泳ぎ、沿岸部まで達すると、藻につかまって下りて着底する。そして、稚エビになって、藻場にいる小動物を食べて成エビに成長する。なお、稚エビの状態では、１匹ずつ凹部などに住むが、成エビになると多数で群れる習性があり、稚エビと成エビとではその習性が異なっている。
【０００５】
したがって、稚エビを良好に育成するには、ポストラーバをどのようにして良好に着底させ、稚エビの習性に対応した環境を与えるかが重要である。このような習性に対応した育成礁が特許文献３に開示されている。この育成礁（当該特許文献３では増殖礁と称している）では、上方に向かってオーバーハング状に伸びる側壁を１面以上有する本体部が基盤部の上に載置され、前記側壁の表面に、ポストラーバ（プエルルス）や稚エビがその成長に合わせて棲み替えるための直径と奥行きで表現されるサイズの異なる凹部をそれぞれ複数個穿って（形成して）いる。なお、本体部や基盤部としてはコンクリート製のものが開示されている。
【０００６】
この育成礁によると、ポストラーバ（プエルルス）や稚エビがその成長に応じて体をぴったり入れることが可能な複数個の凹部（孔）を備えていると共に、餌場である藻類（海藻）が凹部の近くに生えるようにして、隠れ場と餌場の両方を充足させるようにしたので、イセエビがポストラーバの段階から安全に棲みついて成長することができる。すなわち、ポストラーバや稚エビの生残率を高めることができる。
【先行技術文献】
【特許文献】
【０００７】
【特許文献１】特開昭５９−１４６５２９号公報
【特許文献２】特開平４−３１６４３６号公報
【特許文献３】特開２００８−１７８３５６号公報
【発明の概要】
【発明が解決しようとする課題】
【０００８】
しかしながら、特許文献３に開示されている育成礁を用いることにより、ポストラーバや稚エビについてはその生残率を高めることができるが、稚エビから成エビも含めて、イセエビを小さいときから大きくなるまで育てて生存率を高めることができるイセエビ用の育成礁を実現することがより望まれる。すなわち、どのように育成礁を構成すると上記要望に対応できるかが重要な課題となっている。
【０００９】
本発明は上記課題を解決するもので、イセエビを小さいときから大きくなるまで育てて生存率を高めることができるイセエビ用の育成礁を提供することを目的とする。
【課題を解決するための手段】
【００１０】
上記課題を解決するために本発明のイセエビ用の育成礁は、表面にポストラーバや稚エビ用の大きさの異なる凹部が複数形成されている稚エビ礁部と、この稚エビ礁部の周囲に配設されて、複数の管が配置された成エビ礁部とを備えたことを特徴とする。
【００１１】
この構成により、稚エビ礁部の周囲に、複数の管が配置された成エビ礁部が配設されているので、稚エビ礁部で育成された稚エビが、成エビになった際には成エビ礁部にて育成される。これにより、同じイセエビ用の育成礁で、イセエビを小さいときから大きくなるまで育てられて生存率を高めることができる。すなわち、当該イセエビ用の育成礁における稚エビ礁部で、ポストラーバや稚エビを長期間安全に生育でき、また、成エビに達してからもさらに大きくなるまで同じ育成礁の成エビ礁部で生育できるため、ポストラーバ、稚エビおよび成エビの生存率を上昇させることができて、ポストラーバや稚エビから成エビまで効率よく育成することができる。
【００１２】
ここで、管としては鋳鉄管を用いることが好適である。このように、管として鋳鉄管を用いると、鋳鉄管から、藻類の成長に適した基質である鉄イオンが海中などの藻場に徐々に溶け出すので、藻類の成長が促進される。これにより、より多くのプエルルスを良好に着底させることができるとともに、稚エビの好む餌場である海藻場の環境を稚エビ礁部の周囲の成エビ礁部に創出することができる。また、鋳鉄管は鋳造により製造されることで、その外表面が大小の凹凸形状を有する状態となっているため、表面積が大きくかつ藻類の胞子が引っ掛かり易い環境となって、藻類が生え易くなるとともに、管から離脱することを最小限に抑えることができて良好に生育可能となる。
【００１３】
成エビ礁部は、略水平に配設された床盤上に、管を平行な姿勢または傾斜させた姿勢で、かつ互いの管を互いに横方向に近接または当接させた状態で並べて配設していることを特徴とする。この構成により、様々な大きさの空間を提供できるので、成エビはその自身の大きさに合った、管と床盤との間の隙間で生育できる。
【００１４】
また、成エビ礁部を、口径の異なる複数の管から構成してもよい。この構成によっても、成エビはその自身の大きさに合った管の中に入ることができて、成エビが好む複雑な隙間空間を作り出すことができる。
【００１５】
また、稚エビ礁部は、大径の短管にコンクリートなどの硬質材料を配設して形成してもよく、この場合には、比較的簡単に稚エビ礁部を構成することができる。また、稚エビ礁部を、略水平に配設された支持台に、短管の下部が、前記支持台のコンクリートなどの硬質材料で埋め込まれて、短管の中央部及び上部が支持台から立設する状態で配設してもよい。この構成によれば、稚エビ礁部を安定した状態で配設することができ、これにより、海水の流れ方向の力を受けた場合でも回転したり、移動したりすることを防止することができる。
【発明の効果】
【００１６】
本発明によれば、イセエビ用の育成礁として、表面にポストラーバや稚エビ用の大きさの異なる凹部が複数形成されている稚エビ礁部と、この稚エビ礁部の周囲に配設されて、複数の管が配置された成エビ礁部とを備えたことにより、イセエビを小さいときから大きくなるまで、すなわち、ポストラーバや稚エビから成エビまで、生存率を高めた状態で良好に育成することができる。
【００１７】
また、管としては鋳鉄管を用いることで、藻類の成長に適した基質である鉄イオンを藻場に徐々に溶け出させて、藻類の成長を促進できて、より多くのプエルルスを良好に着底させることができるとともに、稚エビの好む餌場である海藻場の環境を稚エビ礁部の周囲の成エビ礁部に創出することができる。また、鋳鉄管は鋳造により製造され、鋳鉄管の内面および外面とも表面に凹凸が形成されているため、表面積が大きくなるとともに藻類の胞子が付着し易くなって、藻類を良好に生育できる。
【００１８】
また、成エビ礁部として、略水平に配設された床盤上に、管を平行な姿勢または傾斜させた姿勢で、かつ互いの管を互いに横方向に近接または当接させた状態で並べて配設することで、管を、床盤との間に一定距離を開けた状態や、管と床盤との間の隙間寸法が徐々に変化する状態で配置できる。したがって、様々な大きさの空間を提供でき、成エビはその自身の大きさに合った、管と床盤との間の隙間で生育でき、イセエビの生存率をさらに高めたり、さらに良好に育成したりすることができる。また、成エビ礁部を、口径の異なる複数の管から構成することによっても、成エビはその自身の大きさに合った管の中に入ることができて、成エビが好む複雑な隙間空間を作り出すことができる。
【００１９】
また、稚エビ礁部として、大径の短管にコンクリートなどの硬質材料を配設して形成することで、比較的簡単に稚エビ礁部を構成することができて、製造コストを安価に抑えることが可能となる。また、稚エビ礁部を、略水平に配設された支持台に、短管の下部が支持台のコンクリートなどの硬質材料で埋め込まれて、短管の中央部及び上部が支持台から立設する状態で配設することで、稚エビ礁部を安定した状態で配設することができて、信頼性が向上する。
【図面の簡単な説明】
【００２０】
【図１】（ａ）および（ｂ）は、本発明の実施の形態に係るイセエビ用の育成礁の平面図および正面図である。
【図２】同育成礁の斜視図である。
【図３】（ａ）および（ｂ）は、同育成礁の稚エビ礁部の正面図および側面断面図である。
【図４】（ａ）および（ｂ）は、同育成礁の正面図および右側面図で、これらのハッチング部は成エビが生育可能な領域を示す。
【図５】（ａ）および（ｂ）は、同育成礁の平面図および正面図で、（ａ）におけるハッチング部は成エビ礁部の領域を示し、（ｂ）は藻類が生育している状態を示す。
【図６】同育成礁の変形例の斜視図である。
【発明を実施するための形態】
【００２１】
以下、本発明の実施の形態に係るイセエビ用の育成礁を図面に基づき説明する。
図１〜図５に示すように、本発明の実施の形態に係るイセエビ用の育成礁１は、平板状でかつ略水平姿勢で配設される床盤（基盤）２に、ポストラーバを着底させたり稚エビを生育させたりする稚エビ礁部３と、成エビ（親エビ）を生育させる成エビ礁部４とを設けた構成としている。このイセエビ用の育成礁１は、２０ｍ以下の浅瀬、例えば水深約５〜８ｍの海底に設置される。なお、図４の（ａ）および（ｂ）におけるハッチング部は成エビが生育可能な領域を示し、図５（ａ）におけるハッチング部は成エビ礁部４の領域を示し、図５（ｂ）は藻類が生育している状態を示す。また、図６に示すように、設置場所の海底の地形に合わせて、床盤（基盤）２の下面に脚部を取り付けてもよい。
【００２２】
床盤（基盤）２は、例えば、平面視して約３．５ｍ×３．５ｍの正方形状の鉄筋コンクリート製とされている。なお、床盤（基盤）２の形状は長方形やその他の形状でもよいとともに、大きさもこれに限るものではない。また、床盤（基盤）２の材料については、鉄筋コンクリートに限るものではなく、石材など、海底に安定して沈められるものであればよく、硬質の材料で作成することが好ましい。
【００２３】
そして、床盤（基盤）２の上に、平面視して、稚エビ礁部３が略中央部に配設され、成エビ礁部４が、稚エビ礁部３の周囲に配設されている。なお、成エビ礁部４は、稚エビ礁部３の周囲における全周にわたって配設されることが好ましいが、必ずしもこれに限るものではなく、成エビ礁部４は、稚エビ礁部３の周囲における半周など一部の領域（稚エビ礁部３の近傍箇所）に設けられていてもよい。
【００２４】
この実施の形態では、稚エビ礁部３は、床盤（基盤）２の上に配設される鉄筋コンクリート製の支持台１１と、この支持台１１にその下部が埋め込まれて配設される稚エビ礁部本体１２とから構成されている。図３（ａ）、（ｂ）に示すように、稚エビ礁部本体１２は、ダクタイル製の鋳鉄管からなる大径（後述する成エビ礁部４を構成する管よりも大きい径）の短管(軸心方向長さが直径よりも短い管)１２ａにコンクリートなどの硬質材料１２ｂを埋め込んで形成され、硬質材料１２ｂが露出する稚エビ礁部本体１２の両側面部に、ポストラーバや稚エビ用の大きさ（直径や奥行き）の異なる凹部１２ｃが多数形成されている。
【００２５】
また、床盤（基盤）２の上に配設される支持台１１に、短管１２ａの下部が、支持台１１をなすコンクリートなどの硬質材料で埋め込まれており、短管１２ａにおける凹部１２ｃが形成された中央部および上部が、支持台１１から上方に立設して露出する状態で配設されている。なお、この実施の形態では、床盤（基盤）２の上に支持台１１が設けられている場合を示しているが、これに限るものではなく、床盤（基盤）２自体で支持台１１を兼用してもよい(すなわち、床盤（基盤）２と支持台１１とを一体化して、支持台１１を省いてもよい）。
【００２６】
稚エビ礁部３の稚エビ礁部本体１２に形成された凹部１２ｃは、ポストラーバや稚エビがその成長に合わせて住み替えるために、複数の大きさ（直径や奥行き：例えば８種類以上）に形成されている。また、この実施の形態では、稚エビ礁部本体１２の両側面部から略直交するように内側（短管１２ａの軸心方向に沿う横方向）に向けて延びるように形成されている。なお、これらの凹部１２ｃは、奥側ほど上方になるような穴でもよく、これにより土砂が堆積することを抑制できる利点を有する。
【００２７】
また、図１（ａ）、（ｂ）、図２などに示すように、成エビ礁部４は、複数種類のダクタイル製の鋳鉄管からなる管１３、１４を取付金具１５、１６で固定して構成されている。この実施の形態では、管１３、１４として、それぞれ受口と挿口とを端部に有する２種類の口径（直径）の管１３、１４を、長手方向の途中部分の１箇所で、管軸心に対して直交するように２つに切断した（すなわち長さ方向に対して２分割した）ものが用いられている。ここで、管１４よりも大径の管１３については、長手方向のほぼ中間部分で切断して、取付金具１５により、受口を有する管１３Ａと、挿口を有する管１３Ｂとを、平面視（上方向から見て）して、互いに横方向に近接または当接させた状態で並べて配設している。
【００２８】
ここで、図２、図４（ｂ）に示すように、管１４Ａ、１４Ｂは、側面視して（横方向から見て）、平板状で略水平に配設された床盤２上に、床盤２の上面から一定距離あいた平行な姿勢で配設されている。一方、図１（ｂ）、図２などに示すように、管１３Ａ、１３Ｂは、側面視して（横方向から見て）、平板状で略水平に配設された床盤２上に、緩やかに傾斜させることで、管１３Ａ、１３Ｂと床盤２との間の隙間寸法が徐々に変化するように配設している。
【００２９】
また、この実施の形態では、管１３よりも小径の管１４については、長手方向のほぼ中間よりも挿口寄りの部分で、管軸心に対して直交するように２つに切断して（すなわち長さ方向に対して２分割して）、受口を有するとともに長尺の管１４Ａと、挿口を有するとともに短尺の管１４Ｂとに分けられている。そして、長尺の管１４Ａについては、隣接する管１４Ａの受口が互いに反対側に向く姿勢で、平面視（上方向から見て）して、互いに横方向に近接または当接させた状態で並べて配設している（図１（ａ）における紙面右側寄り位置に示す）。また、短尺の管１４Ｂについては、互いに管径方向に沿う横方向に近接または当接させた状態で並べて配設している（図１（ａ）における紙面左寄りの上下方向中央位置に示す）。
【００３０】
上記構成により、図５（ａ）などに示すように、稚エビ礁部３の周囲に、複数の管１３、１４（１３Ａ、１３Ｂ、１４Ａ、１４Ｂ）が配置された成エビ礁部４が配設されているので、稚エビ礁部３で育成された稚エビが、成エビになった際には、引き続いて成エビ礁部４にて育成される。これにより、同じイセエビ用の育成礁１で、イセエビを小さいときから大きくなるまで育てられて生存率を高めることができる。すなわち、当該イセエビ用の育成礁１における稚エビ礁部３で、ポストラーバや稚エビを長期間安全に生育でき、また、成エビに達してからもさらに大きくなるまで同じ育成礁１の成エビ礁部４で生育できるため、ポストラーバ、稚エビおよび成エビの生存率を上昇させることができて、ポストラーバや稚エビから成エビまで効率よく育成することができる。つまり、稚エビ礁部と成エビ礁部との位置が離れている場合には、稚エビが運よく成エビに成長したとしても成エビ礁部に集まる可能性は低くなり、外敵によって食べられてしまうリスクが高くなるが、本発明の実施の形態では、稚エビ礁部３と成エビ礁部４との位置が極めて近いため、成エビ礁部４に成エビが集まる確率が確実に高くなると考えられ、イセエビの漁獲高の向上を良好に図ることができる。
【００３１】
また、成エビ礁部４を構成する管１３、１４（１３Ａ、１３Ｂ、１４Ａ、１４Ｂ）としては鋳鉄管を用いているので、鋳鉄管から、藻類の成長に適した基質である鉄イオンが海中などの藻場に徐々に溶け出して、藻類の成長が促進される（図５（ｂ）参照）。これにより、より多くのポストラーバを良好に着底させることができるとともに、稚エビの好む餌場である海藻場の環境を稚エビ礁部３の周囲の成エビ礁部４に創出することができる。また、成エビ礁部４を構成する管１３、１４（１３Ａ、１３Ｂ、１４Ａ、１４Ｂ）として用いられる鋳鉄管は、いわゆる遠心力鋳造法により製造される。
【００３２】
一般に遠心力鋳造法では、高速回転している金型内面に注ぎ込まれた溶鉄が遠心力の作用下で凝固する。鋳鉄管の製造に使用される金型内面は、鋳造欠陥防止の目的で、規則的な凹凸形状に予め処理(ピーニング処理)されたり、微細な空隙を有する塗型層が形成されたりする。その結果このような金型を使用して鋳造された鋳鉄管の外表面（金型側）は大小の凹凸形状を有する状態となっている。
【００３３】
このように、鋳鉄管は鋳造により製造され、その表面に比較的大きな凹凸を有する場合が多いため、表面積が大きくかつ引っ掛かり易い環境となり、藻類の胞子が付着して藻類が生え易くなるとともに、管１３、１４（１３Ａ、１３Ｂ、１４Ａ、１４Ｂ）から離脱することを最小限に抑えることができて良好に生育可能となる。
【００３４】
また、上記のように、成エビ礁部４を構成する管１３、１４（１３Ａ、１３Ｂ、１４Ａ、１４Ｂ）として口径（直径）や長さの異なる複数種類のものを用いているため、成エビはその自身の大きさに合った管１３、１４やその下方で良好に生育できる。特に、本発明の実施の形態では、上記のように、成エビ礁部４を、略水平に配設された床盤２上に、管１３（１３Ａ）を傾斜させて、管１３（１３Ａ）と床盤２との間の隙間寸法が徐々に変化するように配設しているので、成エビは、管１３、１４（１３Ａ、１３Ｂ、１４Ａ、１４Ｂ）の内部で生育できるだけでなく、その自身の大きさに合った、管１３（１３Ａ）と床盤２との間の隙間Ｃ（図１（ｂ）、図４（ａ）、図５（ｂ）参照）でも生育できる。これにより、イセエビの生存率をさらに高めたり、さらに良好に育成したりすることができる。
【００３５】
また、成エビ礁部４を、複数の管１３、１４（１３Ａ、１３Ｂ、１４Ａ、１４Ｂ）を互いに横方向に近接または当接させた状態で並べて構成しているため、暗い場所を好む成エビが、管１３、１４（１３Ａ、１３Ｂ、１４Ａ、１４Ｂ）の下方の暗い空間において良好に生育できる。これにより、成エビをより良好な状態で生育できる。
【００３６】
また、稚エビ礁部３を、大径の短管１２ａにコンクリートなどの硬質材料１２ｂを配設して形成しているため、比較的簡単に稚エビ礁部３を構成することができ、製造コストを安価に構成したり、製造日数を短めにしたりすることが可能となる。また、稚エビ礁部３を、略水平に配設された支持台１１に、短管１２ａの下部が、支持台１１のコンクリートなどの硬質材料で埋め込まれて、短管１２ａの中央部及び上部が支持台１１から立設する状態で配設している。この構成により、稚エビ礁部３を安定した状態で配設することができ、これにより、海水の流れ方向の力を稚エビ礁部本体１２が受けた場合でも、当該稚エビ礁部本体１２が回転したり、移動したりすることを防止することができ、良好な信頼性を維持することができる。
【符号の説明】
【００３７】
１      育成礁
２      床盤（基盤）
３      稚エビ礁部
４      成エビ礁部
１１    支持台
１２    稚エビ礁部本体
１２ａ    短管
１２ｂ    硬質材料
１２ｃ    凹部
１３、１３Ａ、１３Ｂ、１４、１４Ａ、１４Ｂ    管
１５、１６    取付金具
【図１】
2014000002.tif 000003
【図２】
2014000002.tif 000004
【図３】
2014000002.tif 000005
【図４】
2014000002.tif 000006
【図５】
2014000002.tif 000007
【図６】
2014000002.tif 000008